(57)【要約】【課題】従来の装置は、図３に示すように、ロ−クロップ装置Ｒを吊り下げる吊り下げ具Ｔを真上から垂下した構成であったから、搬送中の長い茎稈や外側（吊り下げ具Ｔ側）に倒伏した茎稈がその吊り下げ具Ｔにひっかかって搬送が乱れ、搬送詰まりや稈こぼれによるヘッドロスが発生する課題があった。【解決手段】本案は、上記課題を解決するために、ロ−クロップ装置６を有する汎用コンバインにおいて、該ロ−クロップ装置６の前部に下端部を連結した吊り下げ装置７を、後部上方に延長して、その上端部を前記掻込みオ−ガ３の上方に装備したリフトシリンダ８に連結して上下昇降自由に構成した汎用コンバインのロ−クロップ装置としている。【選択図】        図１
2004215620.tif 000002
【特許請求の範囲】
【請求項１】
テ−ブル１上には、供給された茎稈を掻込んで一側へ収集しながらエレベ−タ２の搬送始端部に送り込む掻込みオ−ガ３が、横向きに軸架して設けられ、該掻込みオ−ガ３の前方において、左右一対の掻込みラグベルト４、４が、搬送始端部を前方下部にし、搬送終端部を後方上部にして側面視傾斜状に軸架して設けられ、該掻込みラグベルト４、４が、前部低位置で分草後の茎稈を左右両側の搬送ラグ５で受継いで保持しながら搬送し、途中で株元が刈取られた茎稈をそのまま後方のテ−ブル１上に供給する構成としたロ−クロップ装置６を有する汎用コンバインにおいて、該ロ−クロップ装置６の前部に下端部を連結した吊り下げ装置７は、後部上方に延長して、その上端部を前記掻込みオ−ガ３の上方に装備したリフトシリンダ８に連結して上下昇降自由に構成した汎用コンバインのロ−クロップ装置。
【請求項２】
テ−ブル１上には、供給された茎稈を掻込んで一側へ収集しながらエレベ−タ２の搬送始端部に送り込む掻込みオ−ガ３が、横向きに軸架して設けられ、該掻込みオ−ガ３の前方において、左右一対の掻込みラグベルト４、４が、搬送始端部を前方下部にし、搬送終端部を後方上部にして側面視傾斜状に軸架して設けられ、該掻込みラグベルト４、４が、前部低位置で分草後の茎稈を左右両側の搬送ラグ５で受継いで保持しながら搬送し、途中で株元が刈取られた茎稈をそのまま後方のテ−ブル１上に供給する構成としたロ−クロップ装置６を有する汎用コンバインにおいて、前部にある左右の分草杆９と前記左右一対の掻込みラグベルト４、４の搬送始端部との間に、上側から掻込規制板１０を配置して円弧軌跡で通過する搬送ラグ５の茎稈掻き込み作用を規制する構成とした汎用コンバインのロ−クロップ装置。
【請求項３】
テ−ブル１上には、供給された茎稈を掻込んで一側へ収集しながらエレベ−タ２の搬送始端部に送り込む掻込みオ−ガ３が、横向きに軸架して設けられ、該掻込みオ−ガ３の前方において、左右一対の掻込みラグベルト４、４が、搬送始端部を前方下部にし、搬送終端部を後方上部にして側面視傾斜状に軸架して設けられ、該掻込みラグベルト４、４が、前部低位置で分草後の茎稈を左右両側の搬送ラグ５で受継いで保持しながら搬送し、途中で株元が刈取られた茎稈をそのまま後方のテ−ブル１上に供給する構成としたロ−クロップ装置６を有する汎用コンバインにおいて、前部にある左右の分草杆９側に基部を取り付けて支持した規制案内杆１１を後方の掻込みラグベルト４、４の搬送始端部側に延長して搬送ラグ５の茎稈掻き込み作用を規制する構成とした汎用コンバインのロ−クロップ装置。
【発明の詳細な説明】
【０００１】
【発明の属する技術分野】
本発明は、汎用コンバインのロ−クロップ装置に関し、農業機械の技術分野に属する。
【０００２】
【従来の技術】
従来から汎用コンバインは、稲、麦に限らず大豆、そば等の穀類の刈取、脱穀作業ができるように構成されており、脱穀装置は全稈投入式を搭載している。そして、刈取前処理装置は、稲、麦の収穫作業では、前部の上方位置に掻込みリ−ルが軸架され、その下方位置に刈取装置が設けられ、その後方位置に、前記刈取装置の刈幅と略同等の幅を有する掻込みオ−ガが横軸に支持して設けられ、該掻込みオ−ガの一側後部に搬送コンベヤからなるエレベ−タが装備されていた。
【０００３】
又、大豆、そば等の丈の低い茎稈を収穫する汎用コンバインにあっては、刈取前処理装置は、掻込みリ−ルを外して、刈取装置の前方低位置から上方にかけて左右一対のラグベルトからなるロ−クロップ装置を設けて比較的丈の低い茎稈を両側から係止して、挟持状態にしながら搬送して刈取、収穫する構成になっている。そして、従来型のこの種のコンバインは、ロ−クロップ装置を上下昇降自由に吊り下げる吊り下げ具を、昇降用油圧シリンダに連結支持したア−ムを前方に延長して連結支持した構成を採用している。（例えば、特許文献１参照）。
【０００４】
【特許文献１】
実開平７−１１５８２１号公報（第１、乃至５頁、第１、及び２図）
【０００５】
【発明が解決しようとする課題】
上述した従来型において、そばや豆類を収穫する汎用コンバインのロ−クロップ装置は、前方低位置から刈取装置の上方を経て後方まで延長した左右一対の掻込みラグベルトを設けて構成している。そして、圃場の茎稈は、分草作用を受けた後、左右一対のラグベルトで挟まれながら後方に搬送される過程で株元が刈取装置で刈り取られ、後方のテ−ブル上に達して掻込みオ−ガに供給される。このような一連の工程において、搬送茎稈は、例えば、図３に示す従来型のように、ロ−クロップ装置Ｒを真上から垂下した吊り下げ具Ｔによって吊り下げる構成であったから、長い茎稈や外側（吊り下げ具Ｔ側）に倒伏した状態で搬送されてくる茎稈がその吊り下げ具Ｔにひっかかって搬送が乱れ、搬送詰まりや稈こぼれによるヘッドロスが発生する課題があった。
【０００６】
また、この種のロ−クロップ装置Ｒは、搬送始端部で搬送ラグＨ（図３参照）が内側に大きな円弧軌跡を描きながら掻き込み作用を行なうから、圃場に植え付けられている茎稈が横方向（内側）に大きな持ち回られて乱され、脱粒等のヘッドロスの原因となる課題があった。
【０００７】
【課題を解決するための手段】
本発明は、上述した課題を解決するために、次の如き技術手段を講ずるものである。まず、請求項１の発明は、テ−ブル１上には、供給された茎稈を掻込んで一側へ収集しながらエレベ−タ２の搬送始端部に送り込む掻込みオ−ガ３が、横向きに軸架して設けられ、該掻込みオ−ガ３の前方において、左右一対の掻込みラグベルト４、４が、搬送始端部を前方下部にし、搬送終端部を後方上部にして側面視傾斜状に軸架して設けられ、該掻込みラグベルト４、４が、前部低位置で分草後の茎稈を左右両側の搬送ラグ５で受継いで保持しながら搬送し、途中で株元が刈取られた茎稈をそのまま後方のテ−ブル１上に供給する構成としたロ−クロップ装置６を有する汎用コンバインにおいて、該ロ−クロップ装置６の前部に下端部を連結した吊り下げ装置７は、後部上方に延長して、その上端部を前記掻込みオ−ガ３の上方に装備したリフトシリンダ８に連結して上下昇降自由に構成した汎用コンバインのロ−クロップ装置であって、従来装置（図３参照）に比較して吊り下げ装置をロ−クロップ装置（図２参照）の傾斜角度に近い勾配に構成にすることにより搬送茎稈の引っ掛かりをなくし、円滑な茎稈搬送ができるものとなった。
【０００８】
つぎに、請求項２の発明は、テ−ブル１上には、供給された茎稈を掻込んで一側へ収集しながらエレベ−タ２の搬送始端部に送り込む掻込みオ−ガ３が、横向きに軸架して設けられ、該掻込みオ−ガ３の前方において、左右一対の掻込みラグベルト４、４が、搬送始端部を前方下部にし、搬送終端部を後方上部にして側面視傾斜状に軸架して設けられ、該掻込みラグベルト４、４が、前部低位置で分草後の茎稈を左右両側の搬送ラグ５で受継いで保持しながら搬送し、途中で株元が刈取られた茎稈をそのまま後方のテ−ブル１上に供給する構成としたロ−クロップ装置６を有する汎用コンバインにおいて、前部にある左右の分草杆９と前記左右一対の掻込みラグベルト４、４の搬送始端部との間に、上側から掻込規制板１０を配置して円弧軌跡で通過する搬送ラグ５の茎稈掻き込み作用を規制する構成とした汎用コンバインのロ−クロップ装置であって、左右一対の掻込みラグベルトの搬送始端部において、搬送ラグの掻込み作用を規制して掻込み当初の茎稈の持ち回りをなくして乱れを防止し、ヘッドロスを極力少なくしたものである。
【０００９】
つぎに、請求項３の発明は、テ−ブル１上には、供給された茎稈を掻込んで一側へ収集しながらエレベ−タ２の搬送始端部に送り込む掻込みオ−ガ３が、横向きに軸架して設けられ、該掻込みオ−ガ３の前方において、左右一対の掻込みラグベルト４、４が、搬送始端部を前方下部にし、搬送終端部を後方上部にして側面視傾斜状に軸架して設けられ、該掻込みラグベルト４、４が、前部低位置で分草後の茎稈を左右両側の搬送ラグ５で受継いで保持しながら搬送し、途中で株元が刈取られた茎稈をそのまま後方のテ−ブル１上に供給する構成としたロ−クロップ装置６を有する汎用コンバインにおいて、前部にある左右の分草杆９側に基部を取り付けて支持した規制案内杆１１を後方の掻込みラグベルト４、４の搬送始端部側に延長して搬送ラグ５の茎稈掻き込み作用を規制する構成とした汎用コンバインのロ−クロップ装置であって、上述した請求項２の発明と同様な作用を奏するものであるが、本案の場合、掻込みラグベルトを上下２段に構成したとき先端部を上下ラグベルトの間に延長することによって茎稈の案内を確実にして搬送ラグの掻込み軌跡を規制できるものとなっている。
【００１０】
【発明の効果】
本発明は、以上のような構成、作用を有するものであって、まず、請求項１の発明は、掻込みラグベルトの傾斜角度に近い角度に設けた吊り下げ具によってロ−クロップ装置を吊り下げ支持した構成であるから、搬送茎稈の引っ掛かりをなくして、長い茎稈や倒伏した茎稈でも吊り下げ具によって障害を起こすことがなく、円滑に搬送してヘッドロスを少なくした効果を有する。
【００１１】
そして、請求項２の発明は、掻込みラグベルトの搬送始端部において、搬送ラグの茎稈に対する掻込み、持回り作用を規制したものであるから、穀稈の乱れをなくして、脱粒をなくしヘッドロスを防止した効果を有する。
そして、請求項３の発明は、上記した請求項２の発明に係る掻込規制板に代えて規制案内杆を設けたものであるから、ロ−クロップ装置を構成する掻込みラグベルトを上下２段に構成したときに有効であって、規制案内杆の先端を上下のラグベルトの間に挿入して上下の搬送ラグの掻込み規制ができる特徴がある。
【００１２】
【発明の実施の形態】
以下、本発明の実施の形態を図面に基づいて具体的に説明する。
まず、汎用コンバイン１２は、図８に示すように、クロ−ラ１３、１３を有する車体１４上に脱穀装置１５を搭載し、その前側には刈取前処理装置１６を上下昇降自由に取り付けて構成している。そして、刈取前処理装置１６は、図面から解るように、昇降用の油圧シリンダ１７により車体１４に対して前部が上下昇降自由に構成している。
【００１３】
そして、脱穀装置１５は、扱胴を軸装した扱室１８を上側に設け、圧風唐箕や揺動選別棚を有する選別室１９を下側に配置して構成している。そして、脱穀装置１５は、従来から公知のように、稲、麦に限らず大豆、そば等の穀類の脱穀・選別作業ができるように構成され、扱室１８の前側にある供給口に全稈を投入する構成となっている。
【００１４】
２０はグレンタンク、２１は排出オ−ガを示している。
つぎに、刈取前処理装置１６は、図１、及び図２に示すように、前部の接地位置に設けた分草杆９と、左右一対の掻込みラグベルト４、４と、低位置の刈取装置２２と、ゲ−ジホイル２３とを一体構成としたロ−クロップ装置６と、その後部にテ−ブル１と、掻込みオ−ガ３と、一側のエレベ−タ２とを装備して構成している。
【００１５】
そこで、まず、ロ−クロップ装置６を構成する左右一対の掻込みラグベルト４、４は、図１に示すように、ベルトに所定間隔ごとに搬送ラグ５を装着し、左右から各搬送ラグ５を互いに内側に向けて対向させて配置し、茎稈を係止して搬送可能に巻回しているが、その配置において、図面から解るように、各搬送ラグ５に搬送方向（後方）に対して後退角を持たせて構成している。そして、左右一対の掻込みラグベルト４、４は、図２に示すように、搬送終端部側を、下部をテ−ブル１に固着した支持筒２４の上部に軸架している上下２段の駆動プ−リ２５に巻回し、搬送始端部側を、上下２段の支持ア−ム２６の先端部に軸架した遊動プ−リ２７に巻回して構成している。そして、左右一対の掻込みラグベルト４、４は、図２に示すように、搬送始端部側では搬送ラグ５が地表近くまで届く程度に低くし、搬送終端部側を高くして側面視傾斜状に構成している。そして、実施例の場合、左右一対の掻込みラグベルト４、４は、図面から解るように、左右のものを上下に段差を設けて架設しており、両外側から内側に向けて突出している搬送ラグ５が相互に上下に交差（平面視で重合して同じ搬送通路を通過する）した構成としている。この構成によって、左右の搬送ラグ５は、回動中に干渉したり、衝突するのを回避できる特徴がある。
【００１６】
そして、上記左右一対の掻込みラグベルト４、４は、図面から解るように、全体がベルトカバ−２８で覆われ、図４、及び図５に示す実施例の場合は、前部にある左右の分草杆９と上記左右一対の掻込みラグベルト４、４の搬送始端部との間に、上側から掻込規制板１０を配置して設け、円弧軌跡で外側から内側に回動する搬送ラグ５の茎稈掻き込み作用を規制（茎稈に接触させない）する構成としている。
【００１７】
又、掻込みラグベルト４、４は、図６、及び図７に示す実施例の場合には、前部にある左右の分草杆９の下側（裏側）に基部を取り付けて支持した規制案内杆１１を、左右から順次誘導間隔を狭めながら後方の掻込みラグベルト４、４の搬送始端部側に延長して搬送ラグ５の茎稈掻き込み作用を規制する構成としている。この場合、規制案内杆１１は、図面から解るように、左右の終端部を上下２段の掻込みラグベルト４、４の搬送始端部側の間に挿入した状態に延長し、上下で円弧軌跡を描いて回動している搬送ラグ５の茎稈掻き込み作用を規制できる構成としている。
【００１８】
したがって、左右一対の掻込みラグベルト４、４は、搬送始端部において搬送ラグ５が円弧状の軌跡を描いて横向きに内側へ回動している部分では茎稈への作用が規制され、掻き込むことがなくなり茎稈を乱すことがなくなった。そして、搬送ラグ５は、その後、左右両側から茎稈を係合して後方に誘導して搬送を開始することになる。
【００１９】
そして、円盤刈刃２２は、前述した刈取装置２２に相当し実施例の場合、図２から解るように、油圧モ−タ３０からチエン３１を介して駆動スプロケット３２に伝動する構成としている。
そして、円盤刈刃２２は、図１に示すように、各刈取条列ごとに配置して設け、左右一対の掻込みラグベルト４、４の搬送ラグ５によって保持されて搬送中の茎稈株元を刈取るように構成している。
【００２０】
そして、ゲ−ジホイル２３は、これの上下調節によってロ−クロップ装置６の地上高さが決まる主要な役目を果たすが、図９に示すように、後方の左右両側にあるクロ−ラ１３、１３の轍間中心から前方に延長した仮想の中心線上に配置し、更に、前後方向では分草杆９の先端と刈取装置２２との間に配置して構成している。そして、ロ−クロップ装置６の主要部である掻込みラグベルト４、４は、図面から解るように、前記ゲ−ジホイル２３の左右両側に一対ずつを対称に配置して構成している。
【００２１】
このように構成すると、汎用コンバイン１２は、実作業で圃場を走行するとき、ゲ−ジホイル２３が溝内を通り、左右両側のクロ−ラ１３、１３が畝上を走行し、左右のロ−クロップ装置６（掻込みラグベルト４、４、刈取装置２２）が畝上を通過することになり、効率的な収穫作業ができる。更に、ゲ−ジホイル２３は、分草杆９と円盤刈刃２２との前後関係でもバランスが良くなり、分草杆９の先端を土中に突っ込ますことがなくなり、又、円盤刈刃２２が回転に伴う遠心力によって撥ね飛ばす泥などがゲ−ジホイル２３に付着したり、堰き止める等の障害が起きない利点がある。
【００２２】
そして、左右一対の掻込みラグベルト４、４は、図１０に示す実施例の場合、ゲ−ジホイル２３の両側に位置する各条列が、後部の上下連結プレ−ト３５で連結され一体構成としている。そして、ゲ−ジホイル２３は、図１０に示すように、下側の揺動支持杆３７の先端に軸架され、前記連結プレ−ト３５側に基部を固定して上方に延長した支持フレ−ム３６と、上記揺動支持杆３７との間に油圧上下シリンダ３８を介装して上下調節ができる構成としている。なお、３９は付属装置であって、油圧ポンプとオイルタンクとからなり、上記油圧上下シリンダ３８と一体に構成している。
【００２３】
このように、ゲ−ジホイル２３の左右両側に一対ずつを対称に配置した掻込みラグベルト４、４は、油圧上下シリンダ３８の上下調節によって、両側が一体的に調節でき、上下操作が楽にできる利点がある。
そして、油圧上下シリンダ３８とこれの付属装置３９は、図１１、乃至図１４に示すように、前端を分草杆９側に連結して上方を通したガ−ド部材４０によって保護した構成としている。この場合、図１１と図１２に示す実施例は、１本のガ−ド部材４０を、中央の分草杆９の後部に取り付け、油圧上下シリンダ３８と付属装置３９の上方に通して後方に延長した構成にしており、図１３、及び図１４に示す実施例は、２本のガ−ド部材４０を分草杆９の先端から後方に延長して油圧上下シリンダ３８の上方を通して保護する構成としている。
【００２４】
このように構成することにより、ガ−ド部材４０は、搬送中の茎稈、特に倒伏状態で搬送されている茎稈を上側で案内し、油圧上下シリンダ３８等への巻き付きや絡み付きを未然に防止できる特徴がある。
そして、掻込みオ−ガ３は、図１、及び図２に示すように、テ−ブル１の後部上方に横向きに軸装しており、その図に示すように、外周には搬送螺旋４１を巻き付けて取り付け、前側から茎稈を掻き込みながら側方へ搬送し、エレベ−タ２側に達すると、掻込みクランクフィンガ−４２により後側のエレベ−タ２に供給する構成としている。
【００２５】
そして、エレベ−タ２は、始端部を上述のとおり、掻込みオ−ガ３に臨ませて設け、終端部を後部上方の脱穀装置１５に連結して扱室１８の供給部に接続して設け、茎稈の全部を投入する構成にしている。
以上のように構成されたロ−クロップ装置６は、図１、及び図２に示すように、テ−ブル１の両側にある側板４３の前側上部において、支点部Ｐ（図２参照）で回動自由に取り付けられており、リフトシリンダ８と吊り下げ装置７とによって上方に吊り上げできる構成となっている。
【００２６】
まず、リフトシリンダ８は、図面に示すように、上記した両側の側板４３に基部を連結して上方に立てて上部を吊り下げア−ム４４に連結し前記掻込みオ−ガ３の上方に位置している。そして、吊り下げ装置７は、ロ−クロップ装置６の前部外側に下部を連結し、上部をリフトシリンダ８の上部に連結して構成している。この場合、吊り下げ装置７は、ロット（図２参照）、ワイヤ−（図１参照）、或いはチエン等で構成すればよい。そして、吊り下げ装置７は、図２に示すように、側面視において、掻込みラグベルト４、４の傾斜角度に近い傾斜になるように勾配を緩くした構成としている。
【００２７】
つぎに、ロ−クロップ装置６の刈高センサ４５について実施例を述べる。
実施例の場合、刈高センサ４５は、図１５、及ぶ図１６に示すように、リ−ルヘッド用の検知板４６をそのまま利用してその下側に取り付けた構成としている。この場合、刈高センサ４５は、図１６に示すように、下部の検知位置が前部に位置する円盤刈刃２２の最下点に合わせた高さに位置させて構成している。言い換えると、刈高センサ４５は、図１５に示す平面図で解るように、円盤刈刃２２の前側の最下点Ｗから後方に延長した仮想の中心線がセンサの中心にあって、略同一の高さにある構成としている。
【００２８】
上述の実施例は、円盤刈刃２２の刈取高さを一定に保持しながら安全に作業ができるものであり、従来のリ−ルヘッド用の検知板４６をそのまま利用してその下側に刈高センサ４５を取り付けた構成としているから、安価に製作でき、破損時には刈高センサ４５のみを交換すれば良く安上がりである。
【００２９】
つぎに、実施例に係る掻込みラグベルト４、４は、図１７、及び図１８に示すように、入力軸４７に軸着している入力スプロケット４８の表、裏を反転して取り付け変えすることにより変速ができる構成としている。すなわち、入力スプロケット４８は、大径スプロケット４８ａと小径スプロケット４８ｂとを一体に形成し、表裏反転することにより変速ができる構成としている。
【００３０】
実施例に係る変速装置は、低コストで製作できるものであって、変速の切替えが簡単にできる特徴がある。
つぎに実施例の作用について説明する。
まず、汎用コンバイン１２は、エンジンを始動して機体の回転各部を駆動しながら前進させて作業を開始する。すると、汎用コンバイン１２は、大豆の圃場を走行しながら前部低位置にある分草杆９が、成熟している大豆の茎稈を分草しながら誘導してラグベルト４、４の搬送始端部に送り、搬送ラグ５が順次係止して後部上方に向けて搬送を開始する。
【００３１】
このとき、図４、及び図５に示す実施例では、掻込みラグベルト４、４の搬送始端部において、外側から内側に回動する円弧軌跡の工程では掻込規制板１０によって搬送ラグ５の茎稈に対する掻込み、持回り作用が規制され、茎稈が接触できない状態にしており、直線工程になって茎稈を順次係止して搬送を開始する。したがって、茎稈は、従来のように乱されることがなくなり、脱粒が防止できてヘッドロスを出さないものとなった。
【００３２】
そして、図６、及び図７に示す実施例でも、上述と同様に規制案内杆１１によって搬送ラグ５が規制されることになる。この場合、規制案内杆１１は、ロ−クロップ装置６を構成する上下２段の掻込みラグベルト４、４の間に挿入して位置しており、上下の搬送ラグ５の掻込み規制ができる。
【００３３】
このようにして茎稈は、左右の搬送ラグ５に係止された状態で搬送されるとき掻込みラグベルト４、４の傾斜角度に近い角度に設けた吊り下げ装置７によってロ−クロップ装置６を吊り下げ支持した構成であるから、搬送茎稈の引っ掛かりをなくして、長い茎稈や倒伏した茎稈でも吊り下げ装置７によって障害を起こすことがなくなり、円滑に搬送してヘッドロスを少なくするものとなった。
【００３４】
そして、圃場の茎稈は、搬送途中で株元が円盤刈刃２２によって刈り取られ、後方のテ−ブル１上に達し、掻込みオ−ガ３の掻き込み作用を受けることになる。
このようにして、茎稈は、掻込みオ−ガ３からエレベ−タ２に供給されて順次上方に搬送され、全稈が脱穀装置１５に送り込まれて脱穀される。
【図面の簡単な説明】
【図１】本発明の実施例であって、平面図である。
【図２】本発明の実施例であって、切断側面図である。
【図３】従来型の汎用コンバインであって、切断側面図である。
【図４】本発明の実施例であって、平面図である。
【図５】本発明の実施例であって、切断側面図である。
【図６】本発明の実施例であって、平面図である。
【図７】本発明の実施例であって、切断側面図である。
【図８】本発明の実施例であって、汎用コンバインの側面図である。
【図９】本発明の実施例であって、平面図である。
【図１０】本発明の実施例であって、斜面図である。
【図１１】本発明の実施例であって、切断側面図である。
【図１２】本発明の実施例であって、平面図である。
【図１３】本発明の実施例であって、切断側面図である。
【図１４】本発明の実施例であって、平面図である。
【図１５】本発明の実施例であって、平面図である。
【図１６】本発明の実施例であって、切断側面図である。
【図１７】本発明の実施例であって、平面図である。
【図１８】本発明の実施例であって、線図による伝動機構図である。
【符号の説明】
１      テ−ブル                  ２      エレベ−タ
３      掻込みオ−ガ              ４、４  掻込みラグベルト
５      搬送ラグ                  ６      ロックロップ装置
７      吊り下げ装置              ８      リフトシリンダ
９      分草杆                    １０    掻込規制板
１１    規制案内杆。
【図１】
2004215620.tif 000003
【図２】
2004215620.tif 000004
【図３】
2004215620.tif 000005
【図４】
2004215620.tif 000006
【図５】
2004215620.tif 000007
【図６】
2004215620.tif 000008
【図７】
2004215620.tif 000009
【図８】
2004215620.tif 000010
【図９】
2004215620.tif 000011
【図１０】
2004215620.tif 000012
【図１１】
2004215620.tif 000013
【図１２】
2004215620.tif 000014
【図１３】
2004215620.tif 000015
【図１４】
2004215620.tif 000016
【図１５】
2004215620.tif 000017
【図１６】
2004215620.tif 000018
【図１７】
2004215620.tif 000019
【図１８】
2004215620.tif 000020